(57)【要約】      （修正有）【課題】靴挿入具の先端部および甲部が、靴先および靴の甲部内面に接して填まることで型崩れを防止すると共に、殺菌、消臭剤等の薬剤が十分に靴先内部に行き届く挿入具を提供する。【解決手段】靴内の殺菌、消臭、型崩れ防止のため靴の開口部から挿入して使用する靴挿入具１であり、少なくとも靴底に対向する平坦な底部２と、靴の甲部分に対向する甲部３と、靴先端部に対向する先端部５と、後端部４とを有し、前記甲部は、その横断面が前記後端部から前記先端部にいくほど漸次小さくなるテーパ形状であり、さらに、前記先端部から前記後端部方向に延びるスリットを有し、該靴挿入具の材質は合成樹脂を発泡成形したスポンジ材である。【選択図】図１
0003224321.tif 000002
【実用新案登録請求の範囲】
【請求項１】
靴内の殺菌、消臭、型崩れ防止のため靴の開口部から挿入して使用する靴挿入具であり、
少なくとも靴底に対向する平坦な底部と、靴の甲部分に対向する甲部と、靴先端部に対向する先端部と、後端部とを有し、
前記甲部は、その横断面が前記後端部から前記先端部にいくほど漸次小さくなるテーパ形状であり、
さらに、前記先端部から前記後端部方向に延びるスリットを有し、該靴挿入具の材質は合成樹脂を発泡成形したスポンジ材であることを特徴とする靴挿入具。
【請求項２】
前記甲部の横断面は蒲鉾形であることを特徴とする請求項１の靴挿入具。
【請求項３】
前記甲部の横断面は四角形であり、該四角形の四隅はＲ面取り部が設けられている四角形であることを特徴とする請求項１の靴挿入具。
【請求項４】
前記甲部の横断面は台形であり、該台形の四隅はＲ面取り部が設けられている台形であることを特徴とする請求項１の靴挿入具。
【考案の詳細な説明】
【考案の詳細な説明】
【技術分野】
【０００１】本考案は、靴内の殺菌、消臭、型崩れ防止のため靴の開口部から挿入して使用する靴挿入具に関するものである。
【背景技術】
【０００２】靴、スニーカー、ブーツ等は、雨に濡れれば型崩れする。また脱いだ後は足の指先、足底からの発汗により、特に靴先、靴底には細菌類が繁殖して悪臭を発生し靴そのものの劣化を早める。そのため、靴、スニーカー、ブーツ等の殺菌、消臭、型崩れ防止を兼ねた挿入具は従来から様々なものが提案されている。また、消臭スプレーなどが販売され使用されている。【０００３】特許文献１は、紙や布等のシートで除湿剤や消臭剤を包み込んだ複数の柱状部を連結させ一体とし、それを靴先部に挿入する構造であるが、複数の柱状部を靴の甲の内側に押し当てるためには複数の弾性部材をシートに設けなくてはならず製造コストが高くなり、また柱状部が破損したときには靴内に除湿、消臭剤が散乱する恐れがある。【０００４】特許文献２は、不織布の袋の中に活性炭を入れそれを靴型としているが、袋の大きさ、また入れる活性炭の量によって靴型の大きさが決まるため、使用対象となる靴の内部に対して活性炭の量が多すぎる場合は袋の先端が靴先まで届かなく、少ない場合は靴先には届くが靴の甲部に届かないので型崩れ防止の役目を果たさない。特許文献３も、同じく布、網等の袋状体に乾燥剤、脱臭剤を入れて型崩れ防止具としているが特許文献２と同様の問題が生じる。
特許文献４は、クッション性のある靴型に消臭、抗菌性のある不織布を交換可能に貼付して使用するものであるが、靴型のサイズにより上記特許文献２、特許文献３と同様の問題があり、また消臭、抗菌性のある不織布を靴型に巻き付けているだけなので挿入時に不織布がめくれて靴先部に旨く入らないという問題がある。
【先行技術文献】
【特許文献】
【０００５】
【特許文献１】特開２０１４−１２４２２３号公報
【特許文献２】実開昭和５６−１４８２０９号公報
【特許文献３】実開平成４−１５４０７号公報
【特許文献４】実用新案登録第３０９４４４３号公報
【考案の概要】
【考案が解決しようとする課題】
【０００６】靴等のデザイン、形状は様々なものがあり、サイズは使用する人の足のサイズに合わせて購入される。特に靴先の形状は、幅の広いもの先の尖っているもの、高さ方向に余裕のあるもの狭いもの多種多様である。これまで、殺菌、消臭、型崩れ防止を目的として上記特許文献のようなものが提案されて使用されていたが、靴先まで理想通り填まらないものが多く、結果として靴先の型崩れが防止できず薬剤等も行き届かないので殺菌、消臭の効果が薄いという問題があった。本考案は、靴挿入具の先端部および甲部が、靴先および靴の甲部内面に接して填まることで型崩れを防止すると共に、殺菌、消臭剤等の薬剤が十分に靴先内部に行き届く挿入具を提供することを目的としている。
【課題を解決するための手段】
【０００７】本考案の靴挿入具は、靴内の殺菌、消臭、型崩れ防止のため靴の開口部から挿入して使用する靴挿入具であり、少なくとも靴底に対向する平坦な底部と、靴の甲部分に対向する甲部と、靴先端部に対向する先端部と、後端部とを有し、前記甲部は、その横断面が前記後端部から前記先端部にいくほど漸次小さくなるテーパ形状であり、さらに、前記先端部から前記後端部方向に延びるスリットを有し、該靴挿入具の材質は合成樹脂を発泡成形したスポンジ材であることを特徴とする。
発砲成形したスポンジ材は体積の収縮率が大きいので、靴挿入具の先端である先端部を押し潰すことにより十分に収縮して靴先まで届き靴内部に挿入できる。このような靴挿入具にアルコール等の消毒液を充填して靴内に挿入することにより靴底、靴先部が消毒液で殺菌される。
さらに甲部の横断面は蒲鉾形であっても良い。あるいは、甲部の横断面は四角形であり、該四角形の四隅はＲ面取り部が設けられた形状であっても良いし、甲部の横断面は台形であり、該台形の四隅はＲ面取り部が設けられた形状であっても良い。
【考案の効果】
【０００８】本考案の靴挿入具は上記構成からなるので、靴挿入具を靴の開口部から靴先端部に向けて挿入したときにスポンジ材の弾性とスリットの効果で挿入具の先端である先端部が靴先端部まで容易に填まり型崩れを防止でき、その材質が合成樹脂を発泡成形したスポンジ材であるので、内部の気泡に殺菌、消臭剤等の薬液を充填し、充填された薬液は靴底、靴先端部、靴の甲部を殺菌してその結果臭いの発生を抑制する。また、材質がスポンジ材だけなので安価に製造することができる。
【図面の簡単な説明】
【０００９】
【図１】本考案の靴挿入具の斜視図
【図２】図１の靴挿入具の変形例の斜視図
【図３】本考案の靴挿入具の他の実施例の斜視図
【図４】図３の靴挿入具の変形例の斜視図
【図５】本考案の靴挿入具の他の実施例を靴先部から見た図
【図６】本考案の靴挿入具の使用状態を説明する図
【考案を実施するための最良の形態】
【００１０】図１は本考案の靴挿入具１の実施例を説明する斜視図であり、図６はその靴挿入具１を靴９０に挿入したときの説明図である。靴挿入具１は、靴底９４に対向する平坦な底部２と、靴の甲部分９２に対向する甲部３と、靴先端部９３に対向する先端部５と、後端部４とを有し、甲部３はその横断面が蒲鉾形であり後端部４から先端部５にいくほど漸次小さくなるテーパ形状である。
底部２は靴底９４に接するため平坦な平面であり、甲部３はその横断面が靴の甲部分９２の横断面に類似する蒲鉾形である。甲部３が、後端部４から先端部５に至る先細のテーパ形状であることで、挿入具１を靴の開口部９１から靴先端部９３に容易に挿入することができる。【００１１】さらに、靴挿入具１は先端部５から後端部４方向に延びるスリット６を有し、材質は合成樹脂を発泡成形したスポンジ材である。
甲部３にスリット６が先端部５から後端部４の方向に垂直方向と水平方向に十文字状に設けられており、また材質が発泡成形したスポンジ材であることと相まって、先端部５および甲部３が、靴先端部９３および靴の甲部分９２に接触した後もその形状に合わせて押し潰され易く靴挿入具１が靴内部全体に容易に接して填まることができる。
靴の甲部分９２の横断面は、一般的に内側（親指側）が高く、外側が（小指側）低い変形した蒲鉾形であることから、スリット６を先端部５附近に設けることでその変形により対応し易くなる。
図１ではスリット６は垂直方向と水平方向に十文字状に設けられているが、それに限るものではなく、例えば水平方向だけのスリットであっても良いし、垂直方向だけのスリットであっても良い、また角度を持った十文字状のスリットであっても良く、靴の種類、形状に合わせたスリットを設ければ良い。【００１２】挿入具１の材質は、ポリウレタン、メラミン等の合成樹脂で発泡成形したスポンジ材を使用することができるが、ゴム材などの天然材料を使用したスポンジ材でも良い。
靴の大きさは様々であり、また靴先端部９３と靴の甲部分９２は靴のデザインにより幅の広いもの尖っているもの、靴先端部９３の高さ方向に余裕のあるもの狭いものがある。その靴内部に挿入してすべての面に接し填まるためには、挿入具１の材料としてスポンジ材が適している。合成樹脂を発泡成形したスポンジ材は、その収縮率が大きく圧力をかけて収縮させることにより容易に挿入させ、その後塑性することにより靴内部全体に接して填まる。【００１３】図２は、図１の挿入具１の変形例を示す図である。図２の挿入具１は図１の挿入具１と形状と材質は同じであるが、先端部５と靴底２、および先端部５と甲部３との角部にＲ面取り部８が設けられている。Ｒ面取り部８は、挿入具１の先端部５が靴先端部９３に填まることを一層容易にする。【００１４】図３は他の実施例を説明する図であり、図４はその変形例を説明する図である。図３の靴挿入具１１と図１で示した靴挿入具１との違いは、甲部１３の横断面が四角形であることである。四角形の横断面の四隅にＲ面取り部１７が設けられている形状であり、その横断面は後端部１４から先端部１５にいくほど漸次小さくなるテーパ形状である。さらに、挿入具１１は先端部１５から後端部１４方向に延びるスリット１６を有し、材質は合成樹脂を発泡成形したスポンジ材である。
靴挿入具１１においても、甲部１３がテーパ形状であることから挿入具１１を靴の開口部９１から靴先端部９３に容易に挿入することができる。甲部１３にスリット１６が靴先部１５から後端部１４の方向に垂直方向と水平方向に十文字状に設けられており、また材質が発泡成形したスポンジ材であることと相まって、先端部１５および甲部１３が、靴先端部９３および靴の甲部分９２に接触した後も押し潰され易く靴挿入具１１が靴内部全体に容易に接して填まることができる。
図４の靴挿入具１１は、先端部１５と甲部１３の三辺の角部と先端部１５と底部１２の角部にＲ面取り部１８が設けられている。
先端部１５の４辺にＲ面取りがされているので、先端部１５はより一層潰れやすく靴先端部９３に填まり易くなる。【００１５】図５はさらなる他の実施例を説明する図であり、靴挿入具２１を靴先部２５方向から見た図である。靴挿入具２１の甲部２３の横断面は台形でありその四隅にはＲ面取り部２７が設けられた形状である。他の構成は、靴挿入具１、１１と同じであり、材質も同じである。靴挿入具２１は、甲部２３の横断面が台形であり底部２２の幅より上辺の幅が小さいことから、またその四隅にはＲ面取り部２７が設けられていることと相まって靴の甲部分９２に填まり易い。
靴挿入具２１においても、先端部２５と甲部２３の角部３辺および先端部２５と底部２２の角部にＲ面取り部を設けても良い。【００１６】上記各実施例の靴挿入具は、下記のように使用される。先んず、靴挿入具１、１１、２１をアルコール等の薬液に浸し、または薬液を噴霧して適量の薬液をスポンジの内部気泡に充填する。次に、靴挿入具１、１１、２１の全体を手で少し収縮させた状態で靴の開口部９１から挿入し靴先端部９３に向けて押し込む。靴先部５、１５、２５が靴先端部９３に接した後、靴挿入具１、１１、２１は収縮した分を塑性することにより膨らんで靴内部全に均等に接して填まる。その状態で、甲部３、１３、２３は靴の甲部分２３を内側から支えるので型崩れを防止する。
スポンジ材の気泡に充填された薬液は、揮発して靴の素材表面または内部に移行し細菌等を殺菌することで靴内部の殺菌、消臭がなされる。【００１７】靴挿入具における甲部の横断面形状は実施例の形状に拘るものではなく、３角形でも他の多角形でも良く楕円形でも良い。靴先部が多角形で後端部が蒲鉾形でも良く、靴の種類、形状に合わせて適当な形状とすることができる。後端部は実施例では底部から立ち上がる平面形状であるが手でつかみ易くするために凹凸をつけても良い。
スポンジ材に充填する薬液は殺菌、消臭を目的とした薬液に限るものではなく、芳香を目的とした芳香液等の他の薬液であっても同様の効果をもたらす。
【産業上の利用可能性】
【００１８】本考案の靴挿入具は、薬液等を充填して靴、スニーカー、ブーツ等に挿入し靴内部で発生する細菌を殺菌し、その結果靴素材の劣化を防止しまた臭いの消臭を行う靴消臭具、また型崩れ防止具等に利用できる。
【符号の説明】
【００１９】１  １１  ２１  靴挿入具
２  １２  ２２  底部
３  １３  ２３  甲部
４  １４  ２４  後端部
５  １５  ２５  先端部
６  １６  ２６  スリット
８  １７  １８  ２７  Ｒ面取り部
９０  靴
９１  靴の開口部
９２  靴の甲部分
９３  靴先端部
９４  靴底
【図１】
0003224321.tif 000003
【図２】
0003224321.tif 000004
【図３】
0003224321.tif 000005
【図４】
0003224321.tif 000006
【図５】
0003224321.tif 000007
【図６】
0003224321.tif 000008